【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク上でピアツーピア通信を確立するための装置であって、
ピアツーピア通信を開始するためのコマンドを受信することと、
デバイスへの送信のために赤外線信号を生成することと、前記赤外線信号は、前記デバイスをアクティブ化するためのコマンドを備える、
前記第１の好ましいチャネルを通して前記ワイヤレス通信ネットワーク上で前記デバイスを見出すことと
を行うように構成された処理システムと、
前記赤外線信号を前記デバイスに送信するように構成された赤外線送信機と、
前記ワイヤレス通信ネットワーク上でワイヤレス通信に参加するように構成されたアンテナと、
を備え、
前記赤外線通信は、前記デバイスのデフォルト設定および前記赤外線信号のうちの１つに基づく第１の好ましいチャネルに前記デバイスのワイヤレスネットワーク接続を設定するためのコマンドを備えること、および前記ワイヤレス通信ネットワーク上での前記デバイスとのピアツーピア接続は、前記赤外線信号中の前記コマンドに基づいて確立されること、を特徴とする、装置。
【請求項２】
前記処理システムは、赤外線電源投入コードのデータベースにアクセスするようにさらに構成され、赤外線電源投入コードの前記データベースは、赤外線信号を受信し、ワイヤレスピアツーピア通信に参加することが可能なディスプレイデバイスの様々な製造業者およびモデルからの赤外線電源投入コードを備える、請求項１に記載の装置。
【請求項３】
赤外線通信を生成するように構成された前記処理システムは、赤外線電源投入コードの前記データベースからの選択された赤外線電源投入コードに基づいて前記赤外線通信を生成するように構成される、請求項２に記載の装置。
【請求項４】
ワイヤレス通信ネットワーク上でピアツーピア通信を確立するための方法であって、
第１のデバイスが、ピアツーピア通信を開始するためのコマンドを受信することと、
第２のデバイスへの送信のために赤外線通信を生成することと、前記赤外線通信は、前記第２のデバイスをアクティブ化するためのコマンドを備える、
前記赤外線通信を前記第２のデバイスに送信することと、
前記ワイヤレス通信ネットワーク上でピアツーピア接続を介して前記第２のデバイスに接続することと、
を備え、
前記赤外線通信は、前記第２のデバイスのデフォルト設定および前記赤外線通信のうちの１つに基づく第１の好ましいチャネルに前記第２のデバイスのワイヤレスネットワーク接続を設定するためのコマンドを備えること、および前記ワイヤレス通信ネットワーク上での前記第２のデバイスとの前記ピアツーピア接続は、前記赤外線通信中の前記コマンドに基づいて確立されること、を特徴とする、方法。
【請求項５】
前記第２のデバイスから、前記ピアツーピア接続を形成することを求める要求に対する応答を受信することをさらに備え、前記要求に対する前記応答は、前記第２のデバイスが前記ピアツーピア接続を形成することに同意する、または前記ピアツーピア接続を形成することに同意しないというインジケーションを備える、請求項４に記載の方法。
【請求項６】
前記第１の好ましいチャネル上で前記第２のデバイスをリッスンすることと、
前記好ましいチャネル上で前記第２のデバイスを検出することと、
第１の時間が経過する前に、前記第１の好ましいチャネル上での前記第２のデバイスの検出に基づいて、オンし、前記第１の好ましいチャネルに前記ワイヤレスネットワーク接続を設定するための前記コマンドが前記第２のデバイスによって受信されたと決定することと
をさらに備える、請求項５に記載の方法。
【請求項７】
前記第１の好ましいチャネル上で前記第２のデバイスをリッスンすることと、
第１の時間が経過する前に、前記第１の好ましいチャネル上で前記第２のデバイスを検出しないことに基づいて、オンし、前記第１の好ましいチャネルに前記ワイヤレスネットワーク接続を設定するための前記コマンドが前記第２のデバイスによって受信されなかったと決定することと、
前記第２のデバイスへの送信のために別の赤外線信号を生成することと、前記別の赤外線信号は、オンし、第２の好ましいチャネルにワイヤレス接続を設定するための別のコマンドに基づく、
前記別の赤外線信号を前記第２のデバイスに送信することと
をさらに備える、請求項５に記載の方法。
【請求項８】
前記第２のデバイスとのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項４に記載の方法。
【請求項９】
前記第２のデバイスとの前記ピアツーピア接続を形成することを求める要求を生成することと、
前記ピアツーピア接続を形成することを求める前記要求を前記ワイヤレス通信ネットワークを介して前記第２のデバイスに送信することと、
前記第２のデバイスから、前記ピアツーピア接続を形成することを求める前記要求に対する応答を受信することと、ここにおいて前記第２のデバイスからの前記応答は、前記第２のデバイスとの前記ピアツーピア接続を形成することを求める前記要求のものとは、異なる示唆されたメディアタイプ、異なる示唆されたチャネル、前記ピアツーピア接続のための異なる示唆された速度、および前記ピアツーピア接続のための異なる示唆された持続時間のうちの少なくとも１つを備える、
をさらに備える、請求項８に記載の方法。
【請求項１０】
ワイヤレス通信ネットワーク上でピアツーピア通信を確立するための装置であって、
第２の装置から赤外線信号を受信するように構成された赤外線受信機と、前記赤外線信号は、アクティブ化するためのコマンドを備える、
前記ワイヤレス通信ネットワーク上で通信するように構成されたアンテナと、
前記装置がスタンバイまたは低電力モードである場合に前記装置に電源投入すること
を行うように構成された処理システムと
を備え、
前記処理システムは、
前記赤外線信号のコマンドに基づいて、デフォルト設定および前記赤外線信号のうちの１つに基づく第１の好ましいチャネルに前記ワイヤレスネットワーク接続を設定することと、
前記コマンドに基づいて前記ワイヤレス通信ネットワークのためのネットワークパラメータを前記第１の好ましいチャネルに設定することと
を行うようにさらに構成されることを特徴とする、装置。
【請求項１１】
ワイヤレス通信ネットワーク上でピアツーピア通信を確立するための方法であって、
第１の装置によって、第２の装置から赤外線信号を受信することと、前記赤外線信号は、電源投入信号および通信信号を備え、前記赤外線信号は、アクティブ化するためのコマンドを備える、
アクティブ化するための前記コマンドに基づいて、前記装置がスタンバイまたは低電力モードである場合に前記装置に電源投入することと
を備え、
前記赤外線信号は、デフォルト設定および前記赤外線信号のうちの１つに基づく第１の好ましいチャネルにワイヤレスネットワーク接続を設定するためのコマンドを備えること、および前記方法は、前記コマンドに基づいて前記ワイヤレス通信ネットワークのためのネットワークパラメータを前記第１の好ましいチャネルに設定することをさらにを備えることを特徴とする、方法。
【請求項１２】
前記ワイヤレス通信ネットワーク上で前記第２の装置とのピアツーピア接続を形成することをさらに備え、前記方法は、好ましくは、前記ピアツーピア接続を形成する前に、前記第２の装置から識別情報を受信し、前記ワイヤレス通信ネットワーク上で前記第２の装置を識別することをさらに備える、請求項１１に記載の方法。
【請求項１３】
前記第２の装置から、ピアツーピア接続を形成することを求める要求を、接続タイムアウトタイマが満了する前に受信することをさらに備え、前記接続タイムアウトタイマは、前記第１の装置が、前記赤外線信号を送る前記第２の装置からのピアツーピア要求を待つ持続時間を備える、請求項１１に記載の方法。
【請求項１４】
前記第２の装置からのピアツーピア接続を形成することを求める前記要求は、前記ピアツーピア接続のための示唆された持続時間、前記ピアツーピア接続のための示唆された速度、示唆された複信能力、示唆されたチャネル、および示唆されたメディアタイプのうちの少なくとも１つを備える、請求項１３に記載の方法。
【請求項１５】
前記ピアツーピア接続要求を受け入れるまたは拒否する、前記第２の装置への応答を生成することをさらに備え、前記第２のデバイスからの前記ピアツーピア接続を形成することを求める前記要求に対する前記応答は、前記ピアツーピア接続のための異なる示唆された持続時間、前記ピアツーピア接続のための異なる示唆された速度、異なる示唆されたチャネル、および異なる示唆されたメディアタイプのうちの少なくとも１つを備える、請求項１４に記載の方法。